(57)【要約】【課題】  本発明の課題は、粉砕体の嵩比重を簡単且つ正確に測ることができる嵩比重測定装置を提供することである。【解決手段】  本発明の嵩比重測定装置１は、静止状態における粉砕体（スペルツエン）の体積を計測することで粉砕体の嵩比重を測るものであって、容器３と、コンプレッサ５と、コンプレッサ５に接続された通気管７とを備え、一定重量の粉砕体を収納した容器３に通気管７から空気を供給して粉砕体を攪拌させるようにした。【選択図】      図１
2005300239.tif 000002
【特許請求の範囲】
【請求項１】
静止状態における粉砕体の体積を計測することで粉砕体の嵩比重を測る嵩比重測定装置であって、容器と、コンプレッサと、コンプレッサに接続された通気管とを備え、一定重量の粉砕体を収納した容器に通気管から空気を供給して粉砕体を攪拌させることを特徴とする嵩比重測定装置。
【請求項２】
容器を載置する載置台を備え、載置台は通気管に接続した吹出口を有しており、コンプレッサから供給された空気は載置台の吹出口から容器内に送り込まれることを特徴とする請求項１に記載の嵩比重測定装置。
【請求項３】
容器は下端に網を取り付けていることを特徴とする請求項２に記載の嵩比重測定装置。
【請求項４】
容器は上端に網を被せていることを特徴とする請求項３に記載の嵩比重測定装置。
【請求項５】
通気管は載置台の吹出口の手前で二股に分かれた分岐部と、分岐された空気を合流する合流部とを備えることを特徴とする請求項４に記載の嵩比重測定装置。
【請求項６】
粉砕体は麦のスペルツエンであることを特徴とする請求項５に記載の嵩比重測定装置。
【発明の詳細な説明】
【技術分野】
【０００１】
本発明は、嵩比重測定装置に関する。
【背景技術】
【０００２】
特許文献１には、容器と、容器の上部に設けた網と、網の上に残留した粉砕体を検知するセンサと備え、粉砕体を網の上に載せて振動させた後、網の上に残留した粉砕体の割合をセンサで測定する技術が開示されている。
【０００３】
一方、ビールの製造工程において、粉砕機によって粉砕した麦芽を煮立てて麦汁を製造する工程がある。係る工程において、粉砕した麦芽の殻皮いわゆるスペルツエン（粉砕体）は麦汁の濾過に用いられる。ビールの品質を保持するためにスペルツエンの粗さを一定に保つ必要があり、スペルツエンの嵩比重を測定する必要があった。従来は、粉砕したスペルツエンを容器に入れた後、容器を振ってスペルツエンを攪拌し、静止状態におけるスペルツエンの体積を測ることで嵩比重を測定していた。
【０００４】
しかし、係る方法は人手による測定であるため、測定者によって容器を振る回数や振る速度等にばらつきが生じるという問題があり、簡単且つ正確に嵩比重を測定する装置が望まれている。
【０００５】
【特許文献１】特開平６−２７０１３号公報
【発明の開示】
【発明が解決しようとする課題】
【０００６】
特許文献１に記載の従来技術は、粉砕体を検知するセンサを備えているので、構成が複雑になるという問題がある。また、網を通過したか否かによって粉砕体の粒度を分析するので、粒径の細かな粉砕体を測定する場合には有効であるが、ビールの製造工程で用いられるスペルツエンような粒径の大きなものを測定する場合には適していない。
【０００７】
本発明は、粉砕体の嵩比重を簡単且つ正確に測ることができる嵩比重測定装置を提供することを目的とする。
【課題を解決するための手段】
【０００８】
前記課題を解決するために、請求項１に記載された発明は、静止状態における粉砕体の体積を計測することで粉砕体の嵩比重を測る嵩比重測定装置であって、容器と、コンプレッサと、コンプレッサに接続された通気管とを備え、一定重量の粉砕体を収納した容器に通気管から空気を供給して粉砕体を攪拌させることを特徴とする。
【０００９】
請求項２に記載された発明は、請求項１に記載の発明において、容器を載置する載置台を備え、載置台は通気管に接続した吹出口を有しており、コンプレッサから供給された空気は載置台の吹出口から容器内に送り込まれることを特徴とする。
【００１０】
請求項３に記載された発明は、請求項２に記載の発明において、容器は下端に網を取り付けていることを特徴とする。
【００１１】
請求項４に記載された発明は、請求項３に記載の発明において、容器は上端に網を被せていることを特徴とする。
【００１２】
請求項５に記載された発明は、請求項４に記載の発明において、通気管は載置台の吹出口の手前で二股に分かれた分岐部と、分岐された空気を合流する合流部とを備えることを特徴とする。
【００１３】
請求項６に記載された発明は、請求項５に記載の発明において、粉砕体は麦のスペルツエンであることを特徴とする。
【発明の効果】
【００１４】
請求項１に記載の発明によれば、粉砕体の嵩比重を測定する場合は、容器内に粉砕体を収納し、コンプレッサから容器内に空気を送り込むことで、容器内の粉砕体を攪拌させる。その後、空気の送り込みを停止させ、静止状態における容器内の粉砕体の体積を測ることで粉砕体の嵩比重を測定する。
【００１５】
このように、容器内に収納した粉砕体を自動的に攪拌させることができるので、測定者の違いによるばらつきが生じにくく、粉砕体の嵩比重を簡単且つ正確に測ることができる。
【００１６】
請求項２に記載の発明によれば、請求項１に記載された発明と同様の効果が得られるとともに、載置台に空気の吹出口が設けられているので、容器を載置台に載せるだけで噴出口から容器内に空気を送り込むことができ、容器に吹出口を形成する必要がなく、構成が簡単である。
【００１７】
請求項３に記載の発明によれば、請求項２に記載された発明と同様の効果が得られるとともに、容器の下端に網を取り付けているので、粉砕体が容器の下端から抜け落ちるのを防止できる。また、載置台の吹出口から送り込まれる空気をそのまま容器内に導入できる。
【００１８】
請求項４に記載の発明によれば、請求項３に記載された発明と同様の効果が得られるとともに、上端に網を被せているので、攪拌の際に粉砕体が容器外に飛び出すことを防止できる。
【００１９】
請求項５に記載された発明によれば、請求項４に記載された発明と同様の効果が得られるとともに、分岐部で二手に分かれた空気が合流部で合流して乱流が発生するので、容器内に供給される空気に偏りが生じ難く、粉砕体の攪拌を効果的に行なうことができる。
【００２０】
請求項６に記載された発明によれば、請求項５に記載された発明と同様の効果が得られるとともに、スペルツエンの嵩比重を測定することで、スペルツエンの粗さを一定に保持することができ、ビールの品質維持を図ることができる。
【発明を実施するための最良の形態】
【００２１】
以下に、添付図面を参照して、本発明の実施の形態を詳細に説明する。図１は本実施の形態に係る嵩比重測定装置の斜視図、図２は図１に示す嵩比重測定装置の分解斜視図、図３は図１に示す嵩比重測定装置の要部を示す縦断面図である。
【００２２】
本実施の形態に係る嵩比重測定装置１は、ビールの製造工程において、粉砕機で粉砕した麦芽の粉砕状態を分析する装置であり、粉砕した麦芽の殻皮、いわゆるスペルツエン（粉砕体）２を収納する容器３と、容器３内に空気を送り込むコンプレッサ５と、容器３とコンプレッサ５とを繋ぐ通気管７とを備えている。また、通気管７の上部には容器３を載置する円盤状の載置台９が設けられており、この載置台９の中央には平面視円状の吹出口１１が形成されている。
【００２３】
載置台９の下部には、通気管７と載置台９の吹出口１１とを連通させる合流管（合流部）１３が設けられており、二股に分かれた合流管１３の下端に、通気管７の分岐部１５が接続されるようになっている。
【００２４】
通気管７は二股に分かれた分岐部１５を備えており、合流管１３における分岐部１５の合流地点で乱流を発生させてから容器３内に空気を供給するようになっている。
【００２５】
容器３はメスシリンダの下端を切断した樹脂製容器であり、容器３側面には目盛りが付されてある。また、容器３の下端には底網（網）１７を取り付けており、載置台９の吹出口１１から送り込まれる空気をそのまま容器３内に導入できるようになっている。また、容器３に収納したスペルツエン２が容器３から抜け落ちるのを防止できる。
【００２６】
また容器３の上端にも、下端に取り付けた底網１７と同様の蓋網（網）１９を被せるようになっており、攪拌の際に容器３外にスペルツエン２が飛び出すことを防止できるようになっている。
【００２７】
コンプレッサ５は、容器３内に空気を送り込む装置であり、装置には送り込む空気の圧力を設定する圧力設定ダイヤル２１、通風時の空気圧を表示する表示パネル２３、空気の送り込時間を設定する時間設定ダイヤル２５を備えている。
【００２８】
次に、本実施の形態に係る作用を説明する。スペルツエン２の嵩比重を測る場合には、まず粉砕機で粉砕したスペルツエン２を図示しない重量計で量り、一定重量のスペルツエン２を容器３の中に収納する。そして、コンプレッサ５において、圧力設定ダイヤル２１及び時間設定ダイヤル２５を回して、供給圧力および供給時間を所定の値に設定し、運転開始ボタン２７を押す。運転開始ボタン２７を押すと、コンプレッサ５から通気管７を通って、容器３内に空気が送り込まれ、容器３内のスペルツエン２が攪拌される。そして、所定時間経過後、コンプレッサ５からの空気の送り込みが停止し、静止状態における容器３内のスペルツエン２の体積を測ることで嵩比重を測定する。
【００２９】
このように、容器３内に収納したスペルツエン２を自動的に攪拌させることができるので、測定者の違いによるばらつきが生じにくく、スペルツエン２の嵩比重を簡単且つ正確に測ることができる。
【００３０】
また、通気管７には二股に分かれた分岐部１５を設けているので、分岐部１５で二手に分かれた空気が合流管１３でぶつかり合って乱流が発生するので、容器３内に供給される空気に偏りが生じ難く、スペルツエン２の攪拌を効果的に行うことができる。
【００３１】
なお、本発明は上述した実施の形態に限定されず、その要旨を逸脱しない範囲で種々の変形が可能である。
【００３２】
上述の実施の形態では、粉砕体として麦芽のスペルツエン２を用いたが、これに限定されず、米、小麦、ライ麦、とうもろこしであっても良い。
【図面の簡単な説明】
【００３３】
【図１】本実施の形態に係る嵩比重測定装置の斜視図である。
【図２】図１に示す嵩比重測定装置の分解斜視図である。
【図３】図１に示す嵩比重測定装置の要部を示す縦断面図である。
【符号の説明】
【００３４】
１      嵩比重測定装置
３      容器
５      コンプレッサ
７      通気管
９      載置台
１１    吹出口
１３    合流管（合流部）
１５    分岐部
１７    底網（網）
１９    蓋網（網）
【図１】
2005300239.tif 000003
【図２】
2005300239.tif 000004
【図３】
2005300239.tif 000005